(57)【要約】【課題】パチンコ機の排出玉受け容器から排出されるパチンコ玉を集合樋に落下させる際、集合樋の同じ部分にパチンコ玉の落下を受けないようにする新規なパチンコ機のアウト球落下衝撃防止装置を提供する。【解決手段】パチンコ機の排出玉受け容器１０において、パチンコ機から排出されたパチンコ玉を受けるための玉受け皿１１に隣接配置された整列傾斜通路１２の下端に、アウトジャバラ２０の一端を接続すると共にその他端に内部にアウト球の落下通路を形成した落下球ガイド部材３０を接続した。【選択図】  図３
2004181008.tif 000002
【特許請求の範囲】
【請求項１】
パチンコ機から排出されたパチンコ玉を受けるための排出玉受け容器の下部に、アウト球の落下通路を有する落下球ガイド部材を先端に接続したアウトジャバラの基端を固着して垂下したことを特徴とするアウト球落下衝撃防止装置。
【請求項２】
前記アウトジャバラは、コイル状に形成された弾性材料であることを特徴とする請求項１に記載のアウト球落下衝撃防止装置。
【請求項３】
前記落下球ガイド部材は、金属材料又はプラスチック材料から形成される箱体又は筒体から成ることを特徴とする請求項１及び請求項２に記載のアウト球落下衝撃防止装置。
【請求項４】
前記落下通路には、その一部にアウト球を排出するＬ字形の筒体から成る水平通路が形成されていることを特徴とする請求項１ないし請求項３のいずれかに記載のアウト球落下衝撃防止装置。
【請求項５】
前記落下通路には、その一部にアウト球を排出する略Ｌ字形の筒体から成る傾斜通路が形成されていることを特徴とする請求項１ないし請求項３のいずれかに記載のアウト球落下衝撃防止装置。
【請求項６】
前記落下通路内の排出口部にアウト球を一次保留するストッパーを設けたことを特徴とする請求項１ないし請求項５のいずれかに記載のアウト球落下衝撃防止装置。
【請求項７】
前記落下通路の排出口は、前記排出玉受け容器の下方に配設される集合樋の傾斜方向と同じ向きに形成されることを特徴とする請求項１ないし請求項６のいずれかに記載のアウト球落下衝撃防止装置。
【発明の詳細な説明】
【０００１】
【発明の属する利用分野】
本発明は、パチンコ機から排出された排出玉を集合回収するために島設備内部に配設された集合樋へ落下させるためのアウト球落下衝撃防止装置に関するものである。
【０００２】
【従来の技術】
従来のパチンコ機では、一般に発射装置によって打ち出されたパチンコ玉はガイドレールで案内された後、遊技盤内を流下し、入賞口へ入賞しなかった場合、盤面最下端に設けられたアウト口から排出される。各パチンコ機から排出された排出玉は、島設備内部に配置された集合樋に集められて、ここから回収される。また、集合樋に集められる際、排出玉は排出玉回収装置に一旦、収容され計数された上で集合樋に放出されるようになっている（本出願人の先願発明参照）。
【０００３】
図７に示すように上記先願発明では、排出玉回収装置には、パチンコ機の裏側から排出された排出玉を受け入れる玉受け皿、玉受け皿からのパチンコ玉を整列させる整列傾斜通路、パチンコ玉を計数する玉計数機等が設けられている。
【０００４】
図８に示すように玉計数機１３は、整列傾斜通路１２の下流に位置する先端下部に配置してあり、整列落下してくるパチンコ玉Ｐを、金属の接近による内蔵コイルのインピーダンスの変化を読みとる方式の近接センサ等により計数するようになっている。玉計数機１３を通過したパチンコ玉Ｐは、スパイラル状の落下シュートを構成するアウトジャバラ２０を介して集合樋２１へ排出されることになる。アウトジャバラ２０は、パチンコ玉Ｐが螺旋に沿って旋回しながら落下するように構成してある。この旋回は、パチンコ玉Ｐが持つ位置エネルギーの一部を旋回運動エネルギーに変換することにより落下速度を減速させ、集合樋２１上へ落下する際の衝撃を少なくするためのものである。
【０００５】
【先願発明】
特許願２００１−３１４６６４号（第６−８頁、第１−３図）
【０００６】
【発明が解決しようとする課題】
先願発明では、パチンコ機の排出玉回収装置の排出玉受け容器から排出されるパチンコ玉Ｐを集合樋に落下させる際、落下シュートを構成するスパイラル状のアウトジャバラ２０により落下速度を減速させて衝撃を少なくしているが、１日に何万個ものパチンコ玉Ｐの落下を受ける集合樋は、殆ど同じ部分に絶えずパチンコ玉Ｐの落下を受けるので、落下速度の減速によっても、その部分の反復的な落下衝撃による磨耗等の損傷や穴あき等の破損及び騒音が避けられないという問題が発生する。
【０００７】
上記問題に鑑み、本発明の解決しようとする課題は、パチンコ機の排出玉受け容器から排出されるパチンコ玉を集合樋に落下させる際、集合樋の同じ部分にパチンコ玉の落下を受けないようにする新規なアウト球落下衝撃防止装置を提供することを目的とするものである。
【０００８】
【課題を解決するための手段】
本発明は上記の課題を解決する為になされたものであり、その解決の為に講じた本発明の手段と、その作用は次のとおりである。
【０００９】
請求項１では、パチンコ機から排出されたパチンコ玉を受けるための排出玉受け容器の下部に、アウト球の落下通路を有する落下球ガイド部材を先端に接続したアウトジャバラの基端を固着して垂下したアウト球落下衝撃防止装置を提案する。
【００１０】
（作用）  該構成により、パチンコ機の排出玉受け容器から排出されるパチンコ玉を集合樋に落下させる際、落下通路を通過するパチンコ玉の落下球によってアウトジャバラと落下球ガイド部材とに振動と揺動運動を行なわせることにより、常に集合樋の同じ部分にアウト球が落下しないように拡散させることができる。
【００１１】
請求項２では、請求項１のアウト球落下衝撃防止装置において、前記アウトジャバラは、コイル状に形成された弾性材料であるアウト球落下衝撃防止装置を提案する。
【００１２】
（作用）  該構成により、パチンコ機の排出玉受け容器から排出されるパチンコ玉を集合樋に落下させる際、落下通路を通過するパチンコ玉の落下球によってアウトジャバラと落下球ガイド部材とに振動と揺動運動を行なわせることにより、常に集合樋の同じ部分にアウト球が落下しないように拡散させることができる。
【００１３】
請求項３では、請求項１及び請求項２のアウト球落下衝撃防止装置において、前記落下球ガイド部材は、金属材料又はプラスチック材料から形成される箱体又は筒体から成るアウト球落下衝撃防止装置を提案する。
【００１４】
（作用）  該構成により、パチンコ機の排出玉受け容器から排出されるパチンコ玉を集合樋に落下させる際、落下通路を通過するパチンコ玉の落下球によってアウトジャバラと落下球ガイド部材とに振動と揺動運動を行なわせることにより、アウト球の落下位置を拡散させて、集合樋の同じ部分にアウト球を落下させないようにすることができる。
【００１５】
請求項４では、請求項１ないし請求項３のいずれかのアウト球落下衝撃防止装置において、前記落下通路には、その一部にアウト球を排出するＬ字形の筒体から成る水平通路が形成されているアウト球落下衝撃防止装置を提案する。
【００１６】
（作用）  該構成により、パチンコ機の排出玉受け容器から排出されるパチンコ玉を集合樋に落下させる際、落下通路を通過するパチンコ玉の落下球によってアウトジャバラと落下球ガイド部材とに振動と揺動運動を行なわせると共に、水平通路の移動中に落下球によって重心変位を行なわせることにより、アウト球の落下位置を広範囲に拡散させて、集合樋の同じ部分にアウト球を落下させないようにすることができる。
【００１７】
請求項５では、請求項１ないし請求項３のいずれかのアウト球落下衝撃防止装置において、前記落下通路には、その一部にアウト球を排出する略Ｌ字形の筒体から成る傾斜通路が形成されているアウト球落下衝撃防止装置を提案する。
【００１８】
（作用）  該構成により、パチンコ機の排出玉受け容器から排出されるパチンコ玉を集合樋に落下させる際、落下通路を通過するパチンコ玉の落下球によってアウトジャバラと落下球ガイド部材とに振動と揺動運動を行なわせると共に、傾斜通路の移動中に落下球によって重心変位を行なわせることにより、アウト球の落下位置を広範囲に拡散させて、集合樋の同じ部分にアウト球を落下させないようにすることができる。
【００１９】
請求項６では、請求項１ないし請求項５のいずれかのアウト球落下衝撃防止装置において、前記落下通路内の排出口部にアウト球を一次保留するストッパーを設けたアウト球落下衝撃防止装置を提案する。
【００２０】
（作用）  該構成により、パチンコ機の排出玉受け容器から排出されるパチンコ玉を集合樋に落下させる際、落下通路を通過するパチンコ玉の落下球によってアウトジャバラと落下球ガイド部材とに振動と揺動運動を行なわせると共に、ストッパーにより落下球を一次保留して落下球の先行玉による重心変位を行なわせる上に、後続玉による重心変位量が倍化されることにより、振動と揺動運動がより増幅されるから、アウト球の落下位置を一層広範囲に拡散させて、集合樋の同じ部分にアウト球を落下させないようにすることができる。
【００２１】
請求項７では、請求項１ないし請求項６のいずれかのアウト球落下衝撃防止装置において、前記落下通路の排出口は、前記排出玉受け容器の下方に配設される集合樋の傾斜方向と同じ向きに形成されるアウト球落下衝撃防止装置を提案する。
【００２２】
（作用）  該構成により、パチンコ機の排出玉受け容器から排出されるパチンコ玉を集合樋に落下させる際、落下通路を通過するパチンコ玉の落下球によってアウトジャバラと落下球ガイド部材とに振動と揺動運動を行なわせると共に、ストッパーにより落下球を一次保留して落下球の先行玉による重心変位を行なわせる上に、後続玉による重心変位量が倍化されることにより、振動と揺動運動がより増幅されるから、アウト球の落下位置を一層広範囲に拡散させて、集合樋の同じ部分にアウト球を落下させないようにすることができると共に、落下通路の排出口が集合樋の傾斜方向と同じ向きに形成されるので、前記排出口から排出されるパチンコ玉の落下球が集合樋の傾斜面へ落下する際の衝撃が一層緩和される。
【００２３】
【発明の実施の形態】
以下に、各図に基づきながら本発明の実施形態について説明する。図１は、排出玉受け容器の島設備への設置状態を示す説明図である。図２は、排出玉受け容器の平面図である。図３は、アウト球落下衝撃防止装置の本実施形態の説明図である。図４は、アウト球落下衝撃防止装置の第１変形具体例の説明図である。図５は、第２変形具体例の説明図である。図６は、第３変形具体例の説明図である。
【００２４】
図１に示すように排出玉受け容器１０は、パチンコ機から排出されたパチンコ玉Ｐを受けるための玉受け皿１１と、この玉受け皿１１に隣接して設けられた整列傾斜通路１２と、この整列傾斜通路１２によって整列させられたパチンコ玉Ｐを計数するための玉計数機１３と、装置本体を島設備１４に固定するための固定架台１５とを備えている。
【００２５】
図２に示すように玉受け皿１１は、上から見たときに略長方形の底部１１ａを有しており、この底部１１ａの外周に沿って周壁１１ｂを起立させてある。この周壁１１ｂには、隣接する整列傾斜通路１２と連通する切欠き１２ｂを形成してある。底部１１ａは、図２において上から下に向かってこれを傾斜させてあり、これにより、玉受け皿１１内のパチンコ玉Ｐが切欠き１２ｂから整列傾斜通路１２内に流れ込むようにしてある。
【００２６】
本実施形態における切欠き１２ｂの幅寸法は、２個以上のパチンコ玉Ｐが同時通過しないように、パチンコ玉の直径寸法より僅かに大きく設定してある。このように設定したのは、整列傾斜通路１２内に流れ込ませるときに１個づつ通過させてパチンコ玉Ｐが整列しやすいようにするものであるが、整列に支障がないのであれば２個以上を通過させるように構成してもよい。２個以上のパチンコ玉を通過させる場合は、整列をより円滑に行わせるために、整列を補助する手段等を設けることが好ましい。
【００２７】
排出玉受け容器１０の下流に配置された整列傾斜通路１２は、図２に示すように、玉受け皿１１と隣接すると共に、切欠き１２ｂを通過したパチンコ玉Ｐが一列になって通過できる幅寸法に設定してある。
【００２８】
図３に示すように玉計数機１３は、排出玉受け容器１０の下流に位置する先端下部に配置してあり、整列落下してくるパチンコ玉Ｐを、金属の接近による内蔵コイルのインピーダンスの変化を読みとる方式の近接センサ等により計数するようになっている。玉計数機１３を通過したパチンコ玉Ｐは、スパイラル状の落下シュートを構成するアウトジャバラ２０を介して集合樋２１へ排出されることになる。なお、固定架台１５は、排出玉受け容器１０の装置本体を位置、高さ等を調整しながら島設備１４に固定するための部材である。
【００２９】
（アウト球落下衝撃防止機構）
図３に示すようにアウトジャバラ２０は、パチンコ玉Ｐが螺旋に沿って旋回しながら落下するように構成してある。この旋回は、パチンコ玉Ｐが持つ位置エネルギーの一部を旋回運動エネルギーに変換することにより落下速度を減速させ、集合樋２１上へ落下する際の衝撃を少なくするためのものである。
【００３０】
本実施形態では、図３に示すように排出玉受け容器１０の下流側の玉計数機１３の下端にアウトジャバラ２０が宙吊り状態で接続されており、さらに該アウトジャバラ２０の宙吊り状態の先端部（下端部）に落下球ガイド部材（衝撃拡散装置）３０を取り付けたものである。この落下球ガイド部材３０は、玉計数機１３を通過したパチンコ玉Ｐが、スパイラル状のアウトジャバラ２０を旋回しながら落下して集合樋２１へ排出される前に、アウトジャバラ２０がその上部に連結された落下球ガイド部材３０に入り、該落下球ガイド部材３０に形成された落下球通路を経た後、集合樋２１へ排出されるようにするためのものである。
【００３１】
この落下球ガイド部材３０は、箱体及びホース又はパイプ等の筒体の形態で形成されるものであり、図３では、箱体で形成された例を図示している。落下球ガイド部材３０を筒体で形成する場合は、Ｌ字形の筒体又は略Ｌ字形の筒体を用いるものである。該落下球ガイド部材３０をアウトジャバラ２０の先端に接続することにより、宙吊り状態で垂下されて排出玉受け容器１０の下流側の玉計数機１３に接続されたアウトジャバラ２０の振り子又は振動子としての機能を有する錘の作用を具備するものである。
【００３２】
したがって、落下球ガイド部材３０は、排出玉受け容器１０から垂下されるアウトジャバラ２０の先端部に取り付けられているので、パチンコ玉Ｐがアウトジャバラ２０内を旋回しながら落下する際、この落下球の落下及び旋回エネルギーにより垂下されたアウトジャバラ２０と落下球ガイド部材３０とに対して振動又は揺動させる作用が生じるものである。
【００３３】
本実施態様のアウト球落下衝撃防止装置は、アウトジャバラ２０と落下球ガイド部材３０とから構成されるものである。アウト球落下衝撃防止装置は、上記のような振動又は揺動現象を利用することにより、落下球ガイド部材３０の排出口３２からのパチンコ玉Ｐの落下位置を拡散させて、常に異なる位置にパチンコ玉Ｐが落下するようにしたものである。このため、アウトジャバラ２０は、パチンコ玉Ｐの旋回落下運動で、このような振動と揺動現象を起こさせるためには、排出口３２までの経路の途中において、少なくとも部分的にフレキシブルな落下路を設ける必要があるものである。したがって、アウトジャバラ２０は、金属線コイルか、又は合成樹脂製コイルで形成したもの、あるいはフレキシブルホース等で形成するなど、弾性材料で形成するものである。
【００３４】
次に、落下球ガイド部材３０の具体構造について説明する。落下球ガイド部材３０は、アルミ等の金属材料又はプラスチック製等の材料から形成される。この落下球ガイド部材３０の内部にパチンコ玉の落下通路を形成する。該落下通路は、一方の入口部３１にアウトジャバラ２０との接続部が形成されており、該接続部に連続して水平通路又は傾斜通路が形成される。図３に示す本実施形態では、アウトジャバラ２０との前記接続部に連続して垂直通路３３が形成されており、その他方には排出口３２から前記垂直通路３３へ連通するように傾斜通路３４が形成されている。前記垂直通路３３と傾斜通路３４とにより、パチンコ玉の落下通路の経路を垂直方向から傾斜方向へ方向変換させる屈曲した通路が形成されるものである。なお、この垂直通路３３へ連通するように形成した傾斜通路３４に代えて、前記水平通路を前記垂直通路３３へ連通するように形成してもよい。また、落下球ガイド部材３０を前記筒体としたものを用いる場合は、Ｌ字形筒体又は略Ｌ字形筒体等の長い方の筒部を水平通路又は傾斜通路として使用するものである。
【００３５】
この傾斜通路３４は、その傾斜方向を集合樋２１の傾斜方向と同じ向きに形成すれば、排出口３２から排出されるパチンコ玉Ｐが集合樋２１の傾斜面へ落下する際の衝撃が緩和されるので一層好ましい結果が得られる。
【００３６】
（本実施形態の作用）
図１ないし図３を参照しながら、本実施の形態の作用について説明する。先ず、パチンコ機から排出されたパチンコ玉（排出玉）Ｐは、玉受け皿１１で受け止められた後、底部１１ａの傾斜により切欠き１２ｂ方向へ流れ、そこを通過して整列傾斜通路１２へ流れ込む。流れ込んだパチンコ玉Ｐは、整列傾斜通路１２内で一列に整列されながら下流方向に転動して玉計数機１３へ流入する。
【００３７】
この玉計数機１３を通過したパチンコ玉Ｐは、スパイラル状の落下シュートを構成するアウトジャバラ２０を介して落下球ガイド部材３０内に形成された前記各通路３３，３４を経て集合樋２１へ排出されることになる。
【００３８】
本発明では、アウトジャバラ２０がフレキシブルであることにより、この中を落下するパチンコ玉Ｐの落下球が、ジャバラの螺旋コイルを旋回しながら伝い降りる際に、前述した位置のエネルギーと、その一部を運動エネルギーに変換された遠心力とにより発生するアウトジャバラ２０の振動及び揺動運動と、アウトジャバラ２０がこの振動と揺動運動を行なうことにより、これがアウトジャバラ２０の先端に配設された落下球ガイド部材３０にも伝わり、これと共にパチンコ玉Ｐの落下球ガイド部材３０内での前記傾斜通路３４の通過中と排出後の重心移動により発生する落下球ガイド部材３０の変位運動との合成振動及び合成揺動運動により、アウトジャバラ２０及び落下球ガイド部材３０には振り子のような揺動現象が起こる。このような合成振動及び合成揺動運動による変位量は、初めはごく僅かであるが、数万発のパチンコ玉Ｐの落下が次々に続くことにより次第に増幅されたものとなるのである。この場合、落下球ガイド部材３０の変位運動は、該落下球ガイド部材３０の質量がパチンコ玉に対して小さければ小さいほど大きい変位運動が得られ、また該落下球ガイド部材３０に形成する前記傾斜通路３４が長ければ長いほど大きい変位運動が得られる。
【００３９】
その結果落下球ガイド部材３０の排出口３２の位置がそれにつれて空間で移動することになるので、集合樋２１へのパチンコ玉の落下位置が絶えず変わるようにすることができるのである。これにより、パチンコ玉Ｐの落下球による落下位置の１箇所集中をなくし、集合樋２１の磨耗等の損傷や破損防止ができる。
【００４０】
【本実施形態の変形例】
図４ないし図６に示すように、本実施形態の例を改良して、パチンコ玉Ｐの落下球によりアウトジャバラと落下球ガイド部材を振動及び揺動させつつ落下するパチンコ玉Ｐの先行玉を一次保留するようにした変形例が考えられる。この変形例における一次保留する手段としての基本構成は、先行玉を一次保留する程度の摩擦を与え得る部分を設けるものである。この変形例では、先行玉を落下球ガイド部材の排出口部で一次保留手段により一次的に保留するようにし、後続玉が落下してきて一次保留されている該先行玉を玉突き的に衝突することにより、後続玉を残留させて該先行玉のみを押出すように落下球ガイド部材の排出口から集合樋２１へ排出するように構成するものである。
【００４１】
この変形例では、前記一次保留手段として、アウトジャバラ２０先端又は落下球ガイド部材３０´の排出口３２´部にストッパー（落下衝撃防止装置）を設ける。このストッパーは、前記したように先行玉を排出口３２´部で一次保留し、後続玉により先行玉が押し出されるようにするためのものである。この場合、一次保留玉は後続玉に対して一種のクッションの役目を持ち、先行玉と後続玉が入れ替わることにより、パチンコ機の排出玉受け容器１０から排出されるパチンコ玉Ｐの落下速度は完全に減殺されるので、集合樋の磨耗を防ぐことができるものである。落下球ガイド部材３０´の他の構造は、前記実施態様の構造と基本的に同じであり、アウトジャバラ２０に接続される入口部３１´の接続部に連続して垂直通路３３´が形成されており、該垂直通路３３´に連続して排出口３２´側には水平通路又は傾斜通路３４´が形成されている。
【００４２】
（第１変形具体例）  第１変形具体例では、上記一次保留手段のストッパーとして、図４に示すように、アウトジャバラ２０先端に設ける落下球ガイド部材３０´の傾斜通路３４´内の排出口３２´部に突起３５を配設する。なお、落下球ガイド部材３０´として前記Ｌ字形等の筒体を用いる場合は、その筒部の先端の内面に突起を形成するようにしてもよい。本変形例で、上記突起３５は、通路の内径よりもやや小さく形成したリング状のものを含むものであり、アウト球の先行玉を一次保留する程度の摩擦を付与し得るように適宜形成されるものである。
【００４３】
（第２変形具体例）  第２変形具体例では、上記一次保留手段として、図５に示すように、アウトジャバラ２０先端に設ける落下球ガイド部材３０´の傾斜通路３４´内の排出口３２´部に板バネ３６を配設する。この板バネ３６は、その一端を傾斜通路３４´の下面又は上面等に固着し、他端を自由端とするものである。この板バネ３６のバネ剛性を適宜選択することにより、アウト球の先行玉を一次保留する程度の摩擦を付与するものである。なお、板バネ３６に代えて、コイルバネなどを用いてもよい。
【００４４】
（第３変形具体例）  第３変形具体例では、上記一次保留手段として、図６に示すように、アウトジャバラ２０先端に設ける落下球ガイド部材３０´の傾斜通路３４´内の排出口３２´部に玉止めギア３７を配設する。この玉止めギア３７は、歯溝の形状を、パチンコ玉を１個づつ該歯溝により送れるように、略円弧状となして形成したものである。この玉止めギア３７は、傾斜通路３４´の下面又は上面等に該玉止めギア３７のギア歯部の少なくとも一部が臨むように配設するものである。この玉止めギア３７は、自由に回転可能に形成して配設するものであるが、傾斜通路３４´外に位置するギア歯のうちの少なくとも１つの歯部に、アウト球の先行玉を一次保留する程度の摩擦を付与する手段、例えば押圧部材３８を構成する摩擦バランサー等を当接させるものである。これにより、玉止めギア３７で一次保留された先行玉は後続玉により押出されて、１個づつ排出させることができるものである。
【００４５】
（変形例の作用）  上記変形例の構成によれば、先行玉を排出口で一次保留することで、該先行玉が錘の作用を果たすことになるので、先行玉による落下球ガイド部材３０´の重心位置を変位させた上に、更に後続玉が先行玉を押出すまでに、先行玉と後続玉とによる重心位置の変位移動が倍化され、揺動運動が増幅されることになるものである。しかも、この先行玉を押出した瞬間に後続玉のみの重心位置へ復帰しようとする作用が働くから、このような先行玉と後続玉とによる重心位置の変位移動によるアウトジャバラと落下球ガイド部材との接続構造でもたらされる振り子状の揺動運動がパチンコ玉Ｐの落下球による落下位置を大きく拡散することができるものとなる。そして、保留位置から集合樋２１へのパチンコ玉Ｐの落下速度を初速がほぼ零の最小落下速度にすることができるから、一層集合樋２１への衝撃を小さいものにすることができる。したがって、落下球ガイド部材３０´の排出口３２´と集合樋２１の板面までの距離を可及的に小さくすることにより、したがって、落下球ガイド部材３０´の底部が集合樋２１の板面に接触しない程度の範囲での距離を可及的に小さくすることにより、一層集合樋２１の磨耗等の損傷や破損の防止効果を最大にすることができる。また、このように落下球ガイド部材３０´の底部を集合樋２１の板面すれすれの位置に設置する場合は、前記集合樋２１の上流側から排出されて下流へ転動するパチンコ玉Ｐが下流側の落下球ガイド部材３０´に転動衝突するので、この集合樋２１上を転動流下するパチンコ玉Ｐの衝突エネルギーの追加により、更に落下球ガイド部材３０´の揺動運動が増幅されるものである。
【００４６】
以上のように、本発明の実施形態及びその変形例によれば、パチンコ機の排出玉受け容器１０の下部に固着垂下したアウトジャバラ２０と落下球ガイド部材３０，３０´に対して何ら外的な動力を使用することなく、排出玉受け容器１０から落下するパチンコ玉Ｐ自体のエネルギーを利用するだけで、集合樋２１への磨耗等の損傷や破損の防止と騒音の低減を十分に図ることができるものである。
【００４７】
なお、本発明の実施形態及び変形例は、上記に限定されるものではなく、例えば次のように変更してもよい。
１．請求項６のアウト球落下衝撃防止装置において、前記ストッパーは、突起から成るアウト球落下衝撃防止装置。
（作用）  該構成により、パチンコ機の排出玉受け容器から排出されるパチンコ玉を集合樋に落下させる際、パチンコ玉の落下球によってアウトジャバラと落下球ガイド部材とに振動と揺動運動を行なわせると共に、突起から成るストッパーにより落下球を一次保留して落下球の先行玉による重心変位を行なわせる上に、後続玉による重心変位量が倍化されることにより、振動と揺動運動がより増幅されるから、アウト球の落下位置を一層広範囲に拡散させて、集合樋の同じ部分にアウト球を落下させないようにすることができる。
２．請求項６のアウト球落下衝撃防止装置において、前記ストッパーは、板バネから成るアウト球落下衝撃防止装置。
（作用）  該構成により、パチンコ機の排出玉受け容器から排出されるパチンコ玉を集合樋に落下させる際、パチンコ玉の落下球によってアウトジャバラと落下球ガイド部材とに振動と揺動運動を行なわせると共に、板バネから成るストッパーにより落下球を一次保留して先行玉による重心変位を行なわせる上に、後続玉による重心変位量が倍化されることにより、振動と揺動運動がより増幅されるから、アウト球の落下位置を一層広範囲に拡散させて、集合樋の同じ部分にアウト球を落下させないようにすることができる。
３．請求項６のアウト球落下衝撃防止装置において、前記ストッパーは、玉止めギアから成るアウト球落下衝撃防止装置を提案する。
（作用）  該構成により、パチンコ機の排出玉受け容器から排出されるパチンコ玉を集合樋に落下させる際、パチンコ玉の落下球によってアウトジャバラと落下球ガイド部材とに振動と揺動運動を行なわせると共に、玉止めギアから成るストッパーにより落下球を一次保留して落下球の先行玉による重心変位を行なわせる上に、後続玉による重心変位量が倍化されることにより、振動と揺動運動がより増幅されるから、アウト球の落下位置を一層広範囲に拡散させて、集合樋の同じ部分にアウト球を落下させないようにすることができる。
【００４８】
【発明の効果】
本発明は、次の効果を奏するものである。
１．本発明により、パチンコ機の排出玉受け容器から排出されるパチンコ玉を集合樋に落下させる際、落下通路を通過するパチンコ玉の落下球によってアウトジャバラと落下球ガイド部材とに振動と揺動運動を行なわせることにより、集合樋の同じ部分にアウト球を落下させないようにすることができる。これにより、アウト球の衝撃を最小限に緩和することができるので、集合樋に対する磨耗による凹み等の損傷や穴あき等の破損の防止と騒音の低減を図ることができる。
２．本発明により、パチンコ機の排出玉受け容器の下端に固着垂下されたアウトジャバラと落下球ガイド部材に対して、何ら外的な動力を使用することなく、排出玉受け容器から落下するパチンコ玉の落下球自体のエネルギーを利用するだけで、集合樋へのアウト球の落下位置を広範囲に拡散することができ、アウト球の落下衝撃による集合樋の磨耗等の損傷や破損の防止と騒音の低減を十分に図ることができる。
３．本発明により、パチンコ機の排出玉受け容器の下方に配設される集合樋に対して、落下球ガイド部材の落下通路の排出口が集合樋の傾斜方向と同じ向きに形成される場合は、前記排出口から排出されるパチンコ玉の落下球が集合樋の傾斜面へ落下する際の衝撃が一層緩和されるので、集合樋に対する磨耗による凹み等の損傷や穴あき等の破損の防止と騒音の低減を十分に図ることができる。
【図面の簡単な説明】
【図１】排出玉受け容器の島設備への設置状態の説明図である。
【図２】排出玉受け容器の平面図である。
【図３】アウト球落下衝撃防止装置の実施形態の説明図である。
【図４】第１変形具体例の説明図である。
【図５】第２変形具体例の説明図である。
【図６】第３変形具体例の説明図である。
【図７】先願発明の排出玉回収装置の設置状態説明図である。
【図８】先願発明の排出玉回収装置の説明図である。
【符号の説明】
Ｐ            パチンコ玉
１０          排出玉受け容器
１１          玉受け皿
１２          整列傾斜通路
１３          玉計数機
１４          島設備
１５          固定架台
２０          アウトジャバラ
２１          集合樋
３０，３０´  落下球ガイド部材
【図１】
2004181008.tif 000003
【図２】
2004181008.tif 000004
【図３】
2004181008.tif 000005
【図４】
2004181008.tif 000006
【図５】
2004181008.tif 000007
【図６】
2004181008.tif 000008
【図７】
2004181008.tif 000009
【図８】
2004181008.tif 000010